(57)【要約】【課題】介護施設等で使用し得る、簡単かつ容易に製作でき、部品数も少なくかつ消費電力が少なく経済的であり、更に取付けが簡単である手すりの提供。【解決手段】本発明は、支持部に取り付けられた手摺りにおいて、該手摺りの下部の少なくとも１箇所に少なくとも１個の発光ダイオードを有し、かつ手摺りの両端付近に、人感センサーを有し、また手摺り、支持部又はこれらの付近のいずれかに光センサーを有するものからなり、これら発光ダイオード、人感センサー及び光センサーは、制御回路を搭載した制御機器で制御される。手すりには、真っ直ぐなものと屈曲したものとがあり、該屈曲部には、その中央部に発光ダイオードを有していてもよい。前記制御機器の電源は、少なくともバッテリーあるいは交流電源のいずれかでよい。【選択図】    図４
2005158318.tif 000002
【特許請求の範囲】
【請求項１】
支持部に取り付けられた手摺りにおいて、該手摺りの下部の少なくとも１箇所に少なくとも１個の発光ダイオードを有し、かつ手摺りの両端付近に、人感センサーを有し、また手摺り、支持部又はこれらの付近のいずれかに光センサーを有するものからなり、これら発光ダイオード、人感センサー及び光センサーは、制御回路を搭載した制御機器で制御されることを特徴とする手摺り。
【請求項２】
手すりが屈曲部を有する場合には、発光ダイオードは、該屈曲部に有することを特徴とする請求項１に記載の手摺り。
【請求項３】
前記制御機器の電源は、少なくともバッテリーあるいは交流電源のいずれかであることを特徴とする請求項１又は請求項２に記載の手摺り。
【請求項４】
前記手すりが中空である場合は、配線コードは、該中空部を通して配線されていることを特徴とする請求項１乃至請求項３のいずれかに記載の手摺り。
【請求項５】
前記手すりが密実である場合は、配線コードは、手すりに設けられた溝に埋め込まれて配線されていることを特徴とする請求項１乃至請求項３のいずれかに記載の手摺り。
【請求項６】
前記の溝に埋め込まれた配線コードを有する手すりに発光ダイオード設置部を除いて又は全体にカバーが設けられていることを特徴とする請求項５に記載の手摺り。
【発明の詳細な説明】
【技術分野】
【０００１】
本発明は、介護施設や老齢者のいる家屋に適した発光ダイオードを有する手すりに関するものである。
【背景技術】
【０００２】
従来、手すりは住宅や介護施設などの階段乃至通路等に設けられており、夜間にこのような階段を登ったり、通路を通ったりするする際、天井等に設置してある照明ランプを近くにあるスイッチで点灯して周囲を明るくしてから、手すりで体を支えながら、登ったり、通ったりするようになっているが、この種の技術としては、最近、前記の如き照明用ランプとして、ＬＥＤを用い、手すりに使用するものが知られており、具体的には、手すり照明装置は、複数の発光ダイオード素子と、該発光ダイオード素子を取り付けた光源部と、中空円筒状で透明または半透明の発光部と、前記発光部内側の上部近傍に取り付けた反射シートと、前記発光部外側の一部を覆う発光覆部とにより照明本体を構成し、該照明本体を設置面に取り付けてなる手すり照明装置が開示されている（例えば、特許文献１参照）。
【特許文献１】特開平１１ー２６０１２１号公報（特許請求の範囲の請求項１、段落００９〜段落００１３、図１）
【発明の開示】
【発明が解決しようとする課題】
【０００３】
しかしながら、前述の特許文献１に開示されている手すり照明装置は、手すりそのものが発光部を形成している照明装置からなり、また手すりの両端には、平面円形状の光源部に複数の発光ダイオード素子を搭載し、この光を手すりの発光部の反射シートで反射させて照明するようになっている。そのため手すり照明装置自体が複雑でまた使用部品も多く、更に消費電力も大きく経済的でないという問題を有している。そこで、本発明者等は、特に老人介護の分野において使用される、簡単で容易に製作でき、部品数も少なくかつ消費電力が少なく経済的な手すりを案出すべく種々検討した結果、手すりの下部に発光ダイオードを多くとも５個を取り付け、該発光ダイオードの点灯を制御回路で制御することにより容易に製作でき、部品数も少なくかつ消費電力が少なく経済的な手すりを得ることができるばかりでなく、取付けも簡単であるという知見を得、ここに本発明をなすに至った。
【０００４】
したがって、本発明が解決しようとする課題は、介護施設等で使用し得る、簡単かつ容易に製作でき、部品数も少なくかつ消費電力が少なく経済的であり、更に取付けが簡単である手すりを提供することにある。
【課題を解決するための手段】
【０００５】
本発明の上記課題は、以下の各発明によってそれぞれ達成される。
（１）支持部に取り付けられた手摺りにおいて、該手摺りの下部の少なくとも１箇所に少なくとも１個の発光ダイオードを有し、かつ手摺りの両端付近に、人感センサーを有し、また手摺り、支持部又はこれらの付近のいずれかに光センサーを有するものからなり、これら発光ダイオード、人感センサー及び光センサーは、制御回路を搭載した制御機器で制御されることを特徴とする手摺り。
（２）手すりが屈曲部を有する場合には、発光ダイオードは、該屈曲部に有することを特徴とする前記第１項に記載の手摺り。
（３）前記制御機器の電源は、少なくともバッテリーあるいは交流電源のいずれかであることを特徴とする前記第１項又は第２項に記載の手摺り。
（４）前記手すりが中空である場合は、配線コードは、該中空部を通して配線されていることを特徴とする前記第１項乃至第３項のいずれかに記載の手摺り。
（５）前記手すりが密実である場合は、配線コードは、手すりに設けられた溝に埋め込まれて配線されていることを特徴とする前記第１項乃至第３項のいずれかに記載の手摺り。
（６）前記の手すりに発光ダイオード設置部を除いて又は全体にカバーが設けられていることを特徴とする前記第４項又は第５項に記載の手摺り。
【発明の効果】
【０００６】
本発明の第１項に記載の手すりは、支持部に取り付けられた手摺りにおいて、該手摺りの下部の少なくとも１箇所に少なくとも１個の発光ダイオードを有し、かつ手摺りの両端付近に、人感センサーを有し、また手摺り、支持部又はこれらの付近のいずれかに光センサーを有するものからなり、これら発光ダイオード、人感センサー及び光センサーは、制御回路を搭載した制御機器で制御されることを特徴とすることにより、特に介護施設等で使用される、簡単かつ容易に製作でき、部品数も少なくかつ消費電力が少なく経済的であり、更に取付けが簡単であるという優れた効果を奏するものである。また本発明の第２項に記載の手すりは、手すりが屈曲部を有する場合には、発光ダイオードは、該屈曲部に有することにより、歩行者側は勿論のこと、曲がった先まで照明されるので、何らの不安もなく安心して歩行することができ、また階段を登ることができるという優れた効果を奏するものである。また本発明の第３項に記載の手すりは、前記制御機器の電源は、少なくともバッテリーあるいは交流電源のいずれかであることにより、適宜の家庭や介護施設の規模に応じた電源を採用しうるばかりか、特に一般家庭では、消費電力の観点から容易にバッテリーを採用し得るという優れた効果を奏するものである。本発明の第４項に記載の手すりは、前記手すりが中空である場合は、配線コードは、該中空部を通して配線されていることにより、前記効果の上に、更に美観上も効果的である。更に、本発明の第５項に記載の手すりは、前記手すりが密実である場合は、配線コードは、手すりに設けられた溝に埋め込まれて配線されていることにより、前記効果の上に、更に手すりを握って歩行する場合など、配線コードに触れることがないので、違和感がなく、しかも、美観上も効果的である。更にまた本発明の第６項に記載の手すりは、前記の溝に埋め込まれた配線コードを有する手すりに発光ダイオード設置部を除いて又は全体にカバーが設けられていることにより、前記効果の上に、手触りが良好であるばかりでなく装飾上も優れている。
【発明を実施するための最良の形態】
【０００７】
以下に、本発明の実施の形態の最良のものについて説明するが、これは一例であってこれに限定されるものではない。
【０００８】
本発明は、支持部に取り付けられた手摺りにおいて、該手摺りの下部の少なくとも１箇所に少なくとも１個の発光ダイオード（ＬＥＤ）を有し、かつ手摺りの両端付近に、人感センサーを有し、また、支持部又はこれらの付近のいずれかに光センサーを有するものからなり、これら発光ダイオード、人感センサー及び光センサーは、制御回路を搭載した制御機器で制御されることを特徴とする手摺りである。
【０００９】
本発明において、手すり及び支持部材の材質は、特に限定されるものではなく、木製、金属等手すりに適するものであればよく、通常、よく知られているものの中から適宜選択することができる。また手すりに設けられる発光ダイオードは、周囲を明るく照らすものであれば、発光色によって、特に限定されるものではないが、好ましくは、白色光乃至白黄色がよい。具体的には、発光ダイオード（ＬＥＤ）は、一例として、３．３Ｖ，３０ｍＡのものが一般的に用いられるが、これに限定されるものではなく、照明として５０ルックス以上の明るさがあればよい。また本発明に用いられる発光ダイオードは、手すりに１〜５個、好ましくは１〜３である。これらの発光ダイオードは、手すりの下部に設けて下方を照らすようにするのが好ましく、これにより直接歩行者の目に発光ダイオードの光が入らないので、歩行し易い。このためには、好ましくは発光ダイオードは、手すりの表面から出ないように取り付けるのがよい。更に発光ダイオードは、手すりが屈曲部を有する場合には、その屈曲部に設けることが好ましく、必要に応じて、屈曲部に２個以上取り付けてもよい。この場合も発光ダイオードは、手すりの表面から出ないように取り付けるのが好ましい。手すりには、その両端部付近の少なくともいずれかに人感センサーを有する。具体的には、手すりの片側、特に歩行者の近づく側に１個設けるか又は両端の側面にそれぞれ１個づつ設けてもよい。またこの人感センサーは、手すりの支持部に設けてもよく、この際、支持部は手すりの両端にそれぞれ有するので、これらの支持部のいずれか又は両方に人感センサーは設けられる。更に本発明の手すりには光センサーが設けられるが、この光センサーは、手すり１個に対して１個有すればよいが、好ましくは２個以上設置しておくことが好ましいが、この際、人感センサーと光センサーを１対づつ設けてもよい。光センサーを２個以上設置することにより、その取付け場所の明暗の違いにより光センサーの作動のバラツキをなくすことができる。またこの光センサーは、手すり乃至その支持部に設けるのではなく、手すりの設置場所の周囲のいずれかの場所に設置しておいてもよい。このように本発明の手すりは、これら発光ダイオード、人感センサー及び光センサーを手摺り１単位に全部設けても、また２単位又は３単位等、いくつかの手摺りに適宜分散して設けてもよい。これら発光ダイオード、人感センサー及び光センサーは、制御回路を搭載した制御機器で制御されることにより、歩行者が手すりに近づくと人感センサーが作動し、発光ダイオードからなるランプが点灯する。この発光ダイオードは、２乃至５分間点灯し、歩行者が通り過ぎたころ、消える。これにより発光ダイオード自体消費電力が少ないが、更にこの発光ダイオードの点灯時間は、適宜長くしたり、短くしたりすることができるので、この点灯時間を調節することにより、さらに消費電力を少なくすることができ経済的であるという優れた効果を奏するものである。
【００１０】
また本発明の第３項に記載の手すりは、前記制御機器の電源は、少なくともバッテリーあるいは交流電源のいずれかを使用することができる。即ち該制御機器の電源は、バッテリーあるいは交流電源をそれぞれ単独で設置するか又はバッテリー及び交流電源を共に備え、必要に応じてバッテリーあるいは交流電源のいずれかを選択し、切替えによりいずれも使用することができる構成となっている。これにより、適宜の家庭や介護施設の規模に応じていずれかの電源を採用しうるばかりか、特に一般家庭では、消費電力の少ないバッテリーを採用し得るという優れた効果を奏するものである。本発明の第４項に記載の手すりは、前記手すりが中空である場合は、配線コードは、該中空部を通して配線されている。手すり及び支持部には、発光ダイオード、人感センサー及び光センサーが取り付けられており、これらの配線は、制御機器と接続されて制御されるが、該制御機器は、付近の壁や柱に取り付けることが好ましい。またこれらの間を接続する配線コードは、手すりが中空の場合には、中空部を通して配線するのが好ましく、これにより、前記効果の上に、更に美観上も効果的である。
【００１１】
またこの手すりには、後述の如く、カバーが設けられていてもよく、カバーが透明樹脂等からできている場合には、発光ダイオードのある部分をも覆って設けることができる。またカバーが不透明樹脂、ゴム、金属等である場合は、発光ダイオードからなるランプ部分に覆わないように、例えば、透孔などを設けて該ランプを露出させる。特に手すりが金属で製作されている場合には、カバーに樹脂やゴム等を用いることにより、冬季などでも冷たくなく手触り上でも優れている。本発明の第５項に記載の手すりは、前記手すりが密実である場合は、配線コードは、手すりに設けられた溝に埋め込まれて配線される。これにより、前記効果の上に、更に手すりを握って歩行する場合など、配線コードに触れることがないので、違和感がなく、手触りもよく、しかも、美観上も効果的である。更にまた本発明の第６項に記載の手すりは、前記の溝に埋め込まれた配線コードを有する手すりに発光ダイオード設置部を除いて又は全体にカバーが設けることができ、この際、カバーが透明樹脂等からできている場合には、発光ダイオードのある部分をも覆って設けることができる。またカバーが不透明樹脂、ゴム、金属等でる場合は、発光ダイオードからなるランプ部分に覆わないように、例えば、透孔などを設けて該ランプを露出させる。これにより、前記効果の上に、装飾上効果的であるばかりでなく手触り上でも優れている。特に手すりが金属で製作されている場合には、カバーに樹脂やゴム等を用いることにより、冬季などでも冷たくなく手触り上でも優れている。本発明に用いられる人感センサーは、例えば、４．５Ｖのものが好ましく用いられ、また光センサーは、３００ｍＶがものましい。なお、発光ダイオード、人感センサー及び光センサーは、これらの技術分野において周知のものであり、市販されている。
【００１２】
以下、本発明を実施例に基づいて更に詳細に説明するが、この例は本発明を説明するためのものであり、本発明はこれに限定されるものではない。
【実施例１】
【００１３】
図１は、本発明の手摺りに設置される切り替えスイッチを有する配線回路図である。図４は、本発明の手摺りを階段に取り付けたところを示す側面略図である。図１及び図２において、交流電源（ＡＣ；１００Ｖ）は、ＡＣアダプターにより１００Ｖを６Ｖの直流に変換する。本発明に用いられる配線回路は、制御装置５の切り替えスイッチ９として、手動１ａと自動１ｂの２種類の態様で動作することができ、手動１ａのときは、昼、夜に関係なく常時点灯しており、自動１ｂのときは、光センサー（３００ｍＶ）が周囲が暗くなると、その明暗を感知して人感センサー（４．５Ｖ）が働き、人が人感センサーに近づくと点灯する。図４は、本発明の手摺りを階段の壁に取り付けたところを示す正面図である。図４の例では、図５のａに示される手摺りについて説明する。図４及び図５のａにおいて、まず、交流電源用コンセントにＡＣアダプターを差し込み、直流電源６Ｖを流すとコネクターＣＮ１及びヒューズ（Ｆ１Ａ）をに流れ、更にリレーが働き、リレーの接点ＲＹ−１とＲＹ−４が接続し、同時に接点ＲＹ−２とＲＹ−３が離れてバッテリー電源が切れる。ここでＡＣアダプターからの電源は，そのまま２００オームの抵抗、並列に接続された制御回路基板ａ及びｂに流れる。この制御回路基板ａには、照明ランプ４、人感センサー２１及び光センサー３１が接続され、手摺り１０の中央部に照明ランプ４を位置させ、手摺り１０の両端に１対の人感センサー２１及び光センサー３１及び１対の人感センサー２２及び光センサー３２がそれぞれ設けられている。これら１対の人感センサー２１及び光センサー３１及び１対の人感センサー２２及び光センサー３２は、手摺り１０の支持部８、８にそれぞれ設けられてもよい。また制御回路基板ａには、人感センサー２１及び光センサー３１が接続されており、制御回路基板ｂには、人感センサー２２及び光センサー３２が接続され、それぞれが動作するようになっている。照明ランプ４としては、３．３Ｖ，３０ｍＡの発光ダイオード（ＬＥＤ）が用いられる。またこの回路には、自動スイッテ１ｂと手動スイッチ１ａが共に設けられており、照明ランプ４を常時点灯しておく場合には、手動スイッチ１ａを入れる。またこの手動スイッチ１ａを切った状態でも自動スイッテ１ｂは動作しているので、光センサー３１、３２の作用により周囲が暗くなるとそれを感知し、歩行者が人感センサー２１又は２２のいずれかに近づくと照明ランプ４が点灯する。このＬＥＤランプの明るさは、３０ｃｍ離れた場所で１５０ルクスであり、十分歩行には差し支えなかった。また照明ランプ４、人感センサー（４．５Ｖ）２１及び光センサー（３００ｍＶ）３１は、コネクターＣＮ２によりそれぞれ接続され、人感センサー２２及び光センサー３２は、コネクターＣＮ３によりそれぞれ接続される。一方、停電等によりＡＣアダプターに電流が流れないときは、リレーが働かず、リレーの接点ＲＹ−１とＲＹ−４が離れ、同時に接点ＲＹ−２とＲＹ−３が接続されてバッテリー電源が制御回路に流れる。また図５のｂに示されるように、１つの手摺り又は１単位の手摺りに照明ランプ４を２個を使用することもできる（配線図は省略）。
【実施例２】
【００１４】
図２は、本発明の手摺りに設置される別の配線回路図である。図２において、交流電源（ＡＣ；１００Ｖ）は、ＡＣアダプターにより１００Ｖを６Ｖの直流に変換する。本発明に用いられる配線回路は、切り替えスイッチとして、手動１ａ、自動１ｂ、暗視１ｃの３種類の態様で動作するスイッチ９が用いられ、手動１ａのときは、昼、夜に関係なく常時点灯しており、自動１ｂのときは、周囲が暗くなり、人が人感センサーに近づくと点灯する。更に切り替えスイッチ９が暗視１ｃのときは、周囲が暗くなると連続点灯する。この例は図５のｃで示される手摺りを用いた場合であり、まず、交流電源用コンセントにＡＣアダプターを差し込み、直流電源６Ｖを流すとコネクターＣＮ１及びヒューズ（Ｆ１Ａ）をに流れ、更にリレーが働き、リレーの接点ＲＹ−３とＲＹ−４が接続し、同時に接点ＲＹ−１とＲＹ−２が離れてバッテリー電源が切れる。ここでＡＣアダプターからの電源は，そのまま２００オームの抵抗、並列に接続された制御回路基板ａ、ｂ及びｃに流れる。この制御回路基板ａには、照明ランプＰＬ４１、ＰＬ４２、ＰＬ４３が並列に接続されかつ制御回路基板ａに接続されている。また、人感センサー（４．５Ｖ）２１及び光センサー（３００ｍＶ）３１も制御回路基板ａに接続されている。また制御回路基板ｂ及びｃには、それぞれの制御回路基板に人感センサー２２、２３及び光センサー３２、３３が接続されており、それぞれが動作するようになっている。照明ランプＰＬとしては、発光ダイオード（ＬＥＤ）が用いられる。またこの回路には、自動スイッテ１ｂと手動スイッチ１ａが共に設けられており、照明ランプＰＬを常時点灯しておく場合には、手動スイッチ１ａを入れる。またこの手動スイッチ１ａを切った状態でも自動スイッテ１ｂは動作しているので、光センサー３１、３２、３３の作用により周囲が暗くなると、それを感知し、歩行者が人感センサー２１、２２又は２３のいずれかに近づくと照明ランプＰＬ（３．３Ｖ，３０ｍＡ）４１乃至４３が点灯する。また照明ランプＰＬ４１乃至４３は、コネクターＣＮ２に接続され、人感センサー２１及び光センサー３１は、コネクターＣＮ３に接続され、これらコネクターＣＮ２、ＣＮ３は、制御回路基板ａに接続されている。また人感センサー２２及び光センサー３２は、コネクターＣＮ４に接続されて制御回路基板ｂに接続されている。更に人感センサー２３及び光センサー３３は、コネクターＣＮ５に接続されて制御回路基板ｃに接続されている。一方、停電等によりＡＣアダプターに電流が流れないときは、リレーが働かず、リレーの接点ＲＹ−１とＲＹ−４が離れ、同時に接点ＲＹ−２とＲＹ−３が接続されてバッテリー電源がそれぞれの制御回路に流れる。この配線回路を用いることによって切り替えスイッチ９を手動（常時）１ａ、自動１ｂ、暗視１ｃに切り変えて照明ランプＰＬ４１乃至ＰＬ４３を点灯させることができる。なお、この例では、人感センサー２３及び光センサー３３は、制御装置５の表面に設けられている。
【実施例３】
【００１５】
図３は、本発明の手摺りに設置されるバッテリーを使用した配線回路図である。図３において、電源として、バッテリー（ＤＣ；６Ｖ）を用いた一般家庭用の発光ダイオードを有する手摺りが用いられる。本発明に用いられる配線回路は、切り替えスイッチ９として、手動１ａ、自動１ｂ、暗視１ｃの３種類の態様で動作するスイッチ９が用いられ、手動１ａのときは、昼、夜に関係なく常時点灯しており、自動１ｂのときは、周囲が暗くなると光センサーがそれを感知し、人が人感センサーに近づくと点灯する。更に切り替えスイッチ９が暗視１ｃのときは、周囲が暗くなると連続点灯する。まず、直流電源６Ｖが流れているので、切り替えスイッチ９を手動スイッチ１ａで常時にすると、並列に接続された制御回路基板ａ、ｂ及びｃに流れる。この制御回路基板ａには、照明ランプＰＬ４１乃至４３、人感センサー（４．５Ｖ）２１及び光センサー（３００ｍＶ）３１が接続されており、また制御回路基板ｂ及びｃには、人感センサー２２、３２及び光センサー２３、３３がそれぞれ接続されており、それぞれが動作するようになっている。照明ランプＰＬとしては、３．３Ｖ，３０ｍＡの発光ダイオード（ＬＥＤ）が用いられる。またこの回路において、切り替えスイッチを自動スイッテに切り替えると、光センサー３１乃至３３の作用により周囲が暗くなるとそれを感知して人感センサー２１乃至２３が働き、人が人感センサーのいずれかに近づくと点灯する。更に切り替えスイッチ９を暗視スイッテ１ｃに切り替えると、周囲が暗くなると連続点灯する。
【実施例４】
【００１６】
これ例では、実施例１に示される配線回路図を用い、図６に示される構造の手摺りを用いる。図６は、本発明の手摺りの別の実施の形態を示す側面図である。図６において、照明ランプ４は、手摺り１０の中央部に設けられ、また手摺り１０は両端で支持部８、８によって固定され、該支持部の上面に光センサー３１、３２をそれぞれ設け、また手摺り１０の両端には人感センサー２１、２２がそれぞれ設けられている。また図７は、曲がった廊下や螺旋状階段のかどに設けるための手摺りの平面図である。手摺り１０の中央部で直角に曲がっており、このかどにＬＥＤからなる照明ランプ４が設けられ、また手摺り１０の両端には、１対の人感センサー２１と光センサー３１及び１対の人感センサー２２及び光センサー３２がそれぞれ設けられている。更にこの手摺り１０は、両端で支持部８、８によって固定されて支持されている。更に図８は、本発明における階段の壁に３個の手摺りを設置した配列例を示す側面図である。図８において、３個の手摺りのうち、真ん中にある手摺り１１は、手摺り本体にＬＥＤからなる照明ランプ４を有し、人感センサーと光センサーを有していない手摺りが用いられている。またこの手摺り１１の両側には、中央部にＬＥＤからなる照明ランプ４を有し、かつ端部に人感センサーと光センサーを有する手摺り１０をそれぞれ配置する。このように配置した手摺りには、実施例２で用いた配線回路図の配線が用いられる。本発明により暗い中、歩行者が、階段を上がるために階段に近づくと、光センサー（３００ｍＶ）３２の作用により人感センサー（４．５Ｖ）３１、３２が働いて照明ランプ（３．３Ｖ，３０ｍＡの発光ダイオード）４が点灯する。歩行者は明るくなった階段を手摺り１０で体を支えながら上がる。２分過ぎたところで照明ランプ４は消えた。また階段を降りるときは、歩行者が近づくと人感センサー２１が働き、照明ランプ４が点灯するので、歩行者は明るくなった階段を手摺り１０を伝わって降りることができる。
【産業上の利用可能性】
【００１７】
本発明の発光ダイオードを有する手摺りは、介護敷設や介護を必要とする一般家庭等、また通路や公園等に利用される。
【図面の簡単な説明】
【００１８】
【図１】本発明の手摺りに設置される切り替えスイッチを有する配線回路図である。
【図２】本発明の手摺りに設置される別の配線回路図である。
【図３】本発明の手摺りに設置されるバッテリーを使用した配線回路図である。
【図４】本発明の手摺りを階段の壁に取り付けたところを示す正面図である。
【図５】本発明の手摺りの各種の実施の形態を下から見た図面である。
【図６】本発明の手摺りの別の実施の形態を示す側面図である。
【図７】曲がった廊下や螺旋状階段のかどに設けるための手摺りの平面図である。
【図８】本発明の階段の壁に３個の手摺りを設置した配列例を示す側面図である。
【符号の説明】
【００１９】
１ａ、１ｂ、１ｃ  手動スイッチ（常時）        ８  支持部
２ａ、２ｂ、２ｃ  自動スイッチ                ９  （切り替え）スイッチ
３ａ、３ｂ、３ｃ  暗視                        １０、１１  手摺り
４、４１、４２、４３  照明ランプ（ＬＥＤ）    ２１、２２、２３  人感センサー
５  制御装置                                  ３１、３２、３３  光センサー
６  配線コード                                ａ，ｂ，ｃ  制御回路基板
７  階段
【図１】
2005158318.tif 000003
【図２】
2005158318.tif 000004
【図３】
2005158318.tif 000005
【図４】
2005158318.tif 000006
【図５】
2005158318.tif 000007
【図６】
2005158318.tif 000008
【図７】
2005158318.tif 000009
【図８】
2005158318.tif 000010